(57)【要約】【課題】静電気放電ショック防止工具を提供すること。【解決手段】把手部１と作業部２とから成る工具において、前記作業部２は先端部分３を除いて被覆材４により被覆されており、前記把手部１と前記被覆材４が、１０６〜１０９Ωの表面抵抗率を有しかつ１０４〜１０９Ω・ｃｍの体積抵抗率を有する半導電性プラスチックにより一体又は別体に形成されている。【選択図】        図１
2005028466.tif 000002
【特許請求の範囲】
【請求項１】
把手部と作業部とから成る工具において、前記作業部は先端部分を除いて被覆材により被覆されており、前記把手部と前記被覆材が、１０６〜１０９Ωの表面抵抗率を有しかつ１０４〜１０９Ω・ｃｍの体積抵抗率を有する半導電性プラスチックにより一体に形成されていることを特徴とする静電気放電ショック防止工具。
【請求項２】
請求項１に記載の静電気放電ショック防止工具において、前記被覆材が、前記把手部の中に入り込み、隙間ができないように前記作業部に挿脱可能に固定されていることを特徴とする静電気放電ショック防止工具。
【請求項３】
先端にねじとの係合部を有する芯棒部とこの芯棒部を内部に挿通して固定している把手部とを有するドライバーにおいて、前記芯棒部は前記係合部と把手部に挿通されている部分を除いて被覆材により被覆されており、前記把手部と前記被覆材が、１０６〜１０９Ωの表面抵抗率を有しかつ１０４〜１０９Ω・ｃｍの体積抵抗率を有する半導電性プラスチックにより一体に形成されていることを特徴とする静電気放電ショック防止ドライバー。
【請求項４】
請求項３に記載の静電気放電ショック防止ドライバーにおいて、前記被覆材が、前記把手部の中に入り込み、隙間ができないように前記芯棒部に挿脱可能に固定されていることを特徴とする静電気放電ショック防止ドライバー。
【請求項５】
先端にねじとの係合部を有する芯棒部とこの芯棒部を内部に挿通して固定している把手部とを有するドライバーにおいて、前記把主部が１０６〜１０９Ωの表面抵抗率を有しかつ１０４〜１０９Ω・ｃｍの体積抵抗率を有する半導電性プラスチックにより形成されていることを特徴とする静電気放電ショック防止ドライバー。
【請求項６】
先端にねじとの係合部を有する芯棒部とこの芯棒部を内部に挿通して固定している被覆材から成る把手部とを有するドライバーにおいて、前記芯棒部は前記係合部と前記把手部に挿通された部分を除いて被覆材もしくは、体積抵抗率が１０４〜１０９Ω・ｃｍの半導電性プラスチックにより被覆され、また前記把手部は前記芯棒部の係合部側を除いた周囲を金属材で被覆されており、前記芯棒部が１０６〜１０９Ωの抵抗器により前記把手部の金属材に電気的に接続されていることを特徴とする静電気放電ショック防止ドライバー。
【発明の詳細な説明】
【０００１】
【発明の属する技術分野】
本発明は、電子精密機器（例えば、コンピュータ機器）の分解、組立、保守作業時に、静電気の高電圧により該電子精密機器の構成部品（例えば、ＬＳＩ等の論理回路）が破損するのを防止できる静電気放電ショック防止工具に関する。
対象となる工具は、一般的にはドライバー、ペンチ、プライヤー、レンチ等であるが、これらに限らず、静電気の高電圧により破損するような構成部品の分解、組立、保守作業等に使用される静電気防止対策を講ずる必要のある全ての工具を含む。
【０００２】
【従来の技術】
コンピュータ機器は年々精密化が進み、且つ多くの電子部品にＬＳＩ等の論理回路が実装されるようになってきており、例えば保守作業時の人体に蓄積された静電気の対策は益々重要になってきている。
通常コンピュータ機器は一定の静電気ノイズの耐圧規格をクリアしているが、これは通常使用時を想定したものであり、保守作業においてはカバーを開けた時点で規格値を満足しなくなる。
【０００３】
そのため静電靴やリストバンド（リストストラップ）により機器に対する人体に蓄積された静電気の放電は防止できるが（例えば、特許文献１参照）、作業中に万一リストバンドの外れ等が起きた時には、静電気の放電を起こして電子部品を静電破損してしまうことになる。
また例えば、静電気の放電ショックを防止するために、ドライバーの把手部に塗料を塗ったものがあるが、長期に亘る使用により塗料が剥がれて、使用に耐えなくなる。
【０００４】
【特許文献１】
特開２０００−２６２３０３号公報
【０００５】
【発明が解決しようとする課題】
本発明では、このような時でもフェイルセーフ的に安全な保守作業を行える静電破損防止用の工具を提供することを目的とする。
勿論この工具は、静電破損防止のために、電子精密機器の分解、組立時においても使用できるものである。
【０００６】
【課題を解決するための手段】
上記目的を達成するために、本発明の静電気放電ショック防止工具は、把手部１と作業部２とから成り、前記作業部２は先端部分を除いて被覆材４により被覆されており、前記把手部１と前記被覆材４が、１０６〜１０９Ωの表面抵抗率を有しかつ１０４〜１０９Ω・ｃｍの体積抵抗率を有する半導電性プラスチックにより一体に形成されている。
【０００７】
また上記の静電気放電ショック防止工具において、前記被覆材４が、前記把手部の中に入り込み、隙間ができないように前記作業部に挿脱可能に固定されている。
【０００８】
また本発明の静電気放電ショック防止ドライバーは、先端にねじとの係合部３を有する芯棒部２とこの芯棒部を内部に挿通して固定している把手部１とを有し、前記芯棒部は前記係合部３と把手部１に挿通されている部分を除いて被覆材４により被覆されており、前記把手部１と被覆材４が、１０６〜１０９Ωの表面抵抗率を有しかつ１０４〜１０９Ω・ｃｍの体積抵抗率を有する半導電性プラスチックにより一体に形成されている。
【０００９】
さらに上記の静電気放電ショック防止ドライバーにおいて、前記被覆材４が、前記把手部１の中に入り込み、隙間ができないように前記芯棒部２に挿脱可能に固定されている。
【００１０】
さらに本発明の静電気放電ショック防止ドライバーは、先端にねじとの係合部３を有する芯棒部２とこの芯棒部を内部に挿通して固定している把手部１とを有し、前記把主部１が１０６〜１０９Ωの表面抵抗率を有しかつ１０４〜１０９Ω・ｃｍの体積抵抗率を有する半導電性プラスチックにより形成されている。
【００１１】
さらにまた本発明の静電気放電ショック防止ドライバーは、先端にねじとの係合部３を有する芯棒部２とこの芯棒部を内部に挿通して固定している被覆材４から成る把手部１とを有し、前記芯棒部２は前記係合部３と前記把手部１に挿通された部分を除いて絶縁体もしくは体積抵抗率が１０４〜１０９Ω・ｃｍの半導電性プラスチックの被覆材４により被覆され、また前記把手部１は前記芯棒部２の係合部３側を除いた周囲を金属材６で被覆されており、前記芯棒部２が１０６〜１０９Ωの抵抗器５により前記把手部１の金属材６に電気的に接続されている。
【００１２】
【発明の実施の形態】
本発明の実施の形態を実施例にもとづき図面を参照して説明する。
図１は、実施例１のドライバーの横断面図を示す。
図において、１は把手部、２は芯棒部（作業部）、３はねじとの係合部、４は把手部１に埋設された部分と先端の係合部３を除いて芯棒部２の周囲を被覆する被覆材であり、１０６〜１０９Ωの表面抵抗率を有しかつ１０４〜１０９Ω・ｃｍの体積抵抗率を有する半導電性プラスチックにより把手部１と一体に形成されている。
【００１３】
図２（ａ）は、実施例２のドライバーの横断面図を示す。
この場合は、実施例１のものとは異なり、被覆材４が把手部１と一体ではなく、（ｂ）図に示すようなチューブ状被覆材が芯棒部２に挿脱可能に挿入されており、図における左端部は把手部１の中に入り込み、隙間ができないようにされている。
【００１４】
実施例１及び実施例２において使用されている、１０６〜１０９Ωの表面抵抗率を有しかつ１０４〜１０９Ω・ｃｍの体積抵抗率を有する半導電性プラスチックとして、例えば次のような組成のものがあるが、１０６〜１０９Ωの表面抵抗率を有しかつ１０４〜１０９Ω・ｃｍの体積抵抗率を有する半導電性プラスチックであれば、これには限らない。
【００１５】
必須成分としてポリエステル系樹脂（Ａ）、ポリエチレン系樹脂（Ｂ）、金属微細状繊維（Ｃ）を含み、且つポリエステル系樹脂（Ａ）とポリエチレン系樹脂（Ｂ）の重量比（Ａ／Ｂ）が５／５５〜７０／３０であり、また全体に占める金属微細状繊維（Ｃ）の割合が表面抵抗率が１０６〜１０９Ωかつ１０４〜１０９Ω・ｃｍの体積抵抗率を有する半導電性プラスチックになるように２０〜６０％の範囲に選ばれた組成物。
【００１６】
このドライバーを、作業者（人体）に蓄積された静電気の高電圧により静電破損を受けやすい電子部品等の組立、分解、保守作業に使用する場合、ドライバーの先端係合部３が電子部品等に接触しても、把手部１及び被覆材４が、１０６〜１０９Ωの表面抵抗率を有しかつ１０４〜１０９Ω・ｃｍの体積抵抗率を有する半導電性プラスチックにより形成されているので、作業者（人体）に帯電した静電気が一気に放電せずに徐々に放電するようになるので、電子部品等が静電気ショックにより破損を受けることがない。
【００１７】
図３は、実施例３のドライバーの横断面図を示す。
この場合は、把手部１と被覆材４とが被覆材で一体又は別体に形成されており、その代わりに、芯棒部２の係合部３側を除いた把手部１の周囲が金属被覆材６で被覆されており、且つ芯棒部２が１０６〜１０９Ωの表面抵抗率を有しかつ１０４〜１０９Ω・ｃｍの体積抵抗率を有する抵抗器により前記把手部１の金属材に電気的に接続されている。
【００１８】
このように芯棒部２を１０６〜１０９Ωの表面抵抗率を有しかつ１０４〜１０９Ω・ｃｍの体積抵抗率を有する抵抗器により前記把手部１の金属材に電気的に接続しておくことにより、このドライバーを使って電子部品等の組立、分解、保守作業を行う場合は、前述のように電子部品等が静電破損を受けることがない。
【００１９】
【発明の効果】
本発明によれば、作業者（人体）に蓄積された静電気の高電圧により静電破損を受けやすい電子部品等の組立、分解、保守作業に使用する場合、ドラーバーの先端係合部が電子部品等に接触しても、静電ショックを発生せず、また発生したとしても徐々に放電するので、電子部品等を静電破損させることがない。
【図面の簡単な説明】
【図１】実施例１のドライバーの横断面図を示す。
【図２】実施例２のドライバーの横断面図及び被覆材を示す。
【図３】実施例３のドライバーの横断面図を示す。
【符号の説明】
１  把手部
２  芯棒部
３  係合部
４  被覆材
５  抵抗器
６  金属被覆部
【図１】
2005028466.tif 000003
【図２】
2005028466.tif 000004
【図３】
2005028466.tif 000005